(57)【要約】【課題】引裂き開始部からの引裂きが補助誘導線を経てそれに接続する主誘導線に確実に進むことが可能な包装袋を提供することである。【解決手段】第１引裂き開始部１５ａからの引裂きを誘導する引裂き誘導弱め線１０、２０が前記第１フィルム１００ａ及び第２フィルム１００ｂのそれぞれに形成された包装袋であって、引裂き誘導弱め線１０，２０は、第１接合部１６から離れる方向に延びる主誘導線１１、２１と、第１接合部１６の外縁線から離れる方向に延び、主誘導線１１、２１に接続して前記外縁線に向かって戻る第１補助誘導線１２ａ、２２ａと、を含み、第１補助誘導線１２ａ、２２ａは、主誘導線１１、２１との接続点Ｐを含む所定範囲の部分１２３を、前記主誘導線１１、２１より深い、及びまたは太い線状溝である第１特別形状部分として有する、構成となる。【選択図】図１
2020132172.tif 000002
【特許請求の範囲】
【請求項１】
第１フィルム及び第２フィルムが、それらの周縁部を接合させて袋状に形成され、前記第１フィルム及び前記第２フィルムのそれぞれの周縁部が接合されてなる第１接合部に第１引裂き開始部が形成され、前記第１引裂き開始部からの引裂きを誘導する引裂き誘導弱め線が前記第１フィルム及び第２フィルムのそれぞれに形成された包装袋であって、
前記引裂き誘導弱め線は、
前記第１接合部側から離れる方向に延びる主誘導線と、
前記第１接合部の外縁線側から離れる方向に延び、前記主誘導線に接続して前記外縁線側に向かって戻る第１補助誘導線と、を含み、
前記第１補助誘導線は、前記主誘導線との接続点を含む所定範囲の部分を、前記主誘導線より深い、及びまたは太い線状溝である第１特別形状部分として有する包装袋。
【請求項２】
前記第１補助誘導線の前記主誘導線との接続点を含む前記所定範囲の部分は、前記第１接合部側から離れる方向に凸状となる湾曲線部分を含む請求項１記載の包装袋。
【請求項３】
前記第１補助誘導線は、前記第１接合部の外縁線から延び、前記主誘導線と接続して前記外縁線に戻って前記第１引裂き開始部を囲む形状を有する請求項１または２記載の包装袋。
【請求項４】
前記第１接合部に対向する第２接合部には第２引裂き開始部が形成され、
前記引裂き誘導弱め線は、更に、
前記第２接合部の外縁線側から離れる方向に延び、前記主誘導線に接続して前記外縁線に向かって戻る第２補助誘導線を、含み、
前記第２補助誘導線は、前記主誘導線との接続点を含む所定範囲の部分を、前記主誘導線より深い、及びまたは太い線状溝である第２特別形状部分として有する、請求項１乃至３のいずれかに記載の包装袋。
【請求項５】
前記第２補助誘導線の前記主誘導線との接続点を含む前記所定範囲の部分は、前記第２接合部から離れる方向に凸状となる湾曲線部分を含む請求項４記載の包装袋。
【請求項６】
前記第２補助誘導線は、前記第２接合部の外縁線から延び、前記主誘導線と接続して前記外縁線に戻って前記第２引裂き開始部を囲む形状を有する請求項４または５記載の包装袋。
【請求項７】
第１フィルム及び第２フィルムが、それらの周縁部を接合させて袋状に形成され、前記第１フィルム及び前記第２フィルムのそれぞれの周縁部が接合されてなる接合部に引裂き開始部が形成され、前記引裂き開始部からの引裂きを誘導する引裂き誘導弱め線が前記第１フィルム及び第２フィルムのそれぞれに形成された包装袋であって、
前記引裂き誘導弱め線は、
前記接合部側から離れる方向に延びる主誘導線と、
前記接合部の外縁線側から離れる方向に延び、前記主誘導線に接続して前記外縁線側に向かって戻る補助誘導線と、を含む包装袋における前記引裂き誘導弱め線の形成方法であって、
前記第１フィルム及び前記第２フィルムのそれぞれに形成されるべき前記引裂き誘導弱め線をレーザ光照射によって線状溝として形成するステップであって、
前記補助誘導線を形成する第１ステップと、
前記主誘導線を形成する第２ステップと、を有し、
前記第１ステップは、前記補助誘導線の前記主誘導線との接続点を含む所定範囲の部分を、前記主誘導線の形成に際してのレーザ光の照射回数より多い回数のレーザ光を重ねて照射することにより形成するステップを含む、引裂き誘導弱め線の形成方法。
【請求項８】
第１フィルム及び第２フィルムが、それらの周縁部を接合させて袋状に形成され、前記第１フィルム及び前記第２フィルムのそれぞれの周縁部が接合されてなる接合部に引裂き開始部が形成され、前記引裂き開始部からの引裂きを誘導する引裂き誘導弱め線が前記第１フィルム及び第２フィルムのそれぞれに形成された包装袋であって、
前記引裂き誘導弱め線は、
前記接合部側から離れる方向に延びる主誘導線と、
前記接合部の外縁線側から離れる方向に延び、前記主誘導線に接続して前記外縁線側に向かって戻る補助誘導線と、を含む包装袋における前記引裂き誘導弱め線の形成方法であって、
前記第１フィルム及び前記第２フィルムのそれぞれに形成されるべき前記引裂き誘導弱め線をレーザ光照射によって線状溝として形成するステップであって、
前記補助誘導線を形成する第１ステップと、
前記主誘導線を形成する第２ステップと、を有し、
前記第１ステップは、前記補助誘導線の前記主誘導線との接続点を含む所定範囲の部分を、レーザ光のスポット径以下のピッチでずらしながらレーザ光を複数回照射して形成するステップを含む、引裂き誘導弱め線の形成方法。
【請求項９】
第１フィルム及び第２フィルムが、それらの周縁部を接合させて袋状に形成され、前記第１フィルム及び前記第２フィルムのそれぞれの周縁部が接合されてなる接合部に引裂き開始部が形成され、前記引裂き開始部からの引裂きを誘導する引裂き誘導弱め線が前記第１フィルム及び第２フィルムのそれぞれに形成された包装袋であって、
前記引裂き誘導弱め線は、
前記接合部側から離れる方向に延びる主誘導線と、
前記接合部の外縁線側から離れる方向に延び、前記主誘導線に接続して前記外縁線側に向かって戻る補助誘導線と、を含む包装袋における前記引裂き誘導弱め線の形成方法であって、
前記第１フィルム及び前記第２フィルムのそれぞれに形成されるべき前記引裂き誘導弱め線をレーザ光照射によって線状溝として形成するステップであって、
前記補助誘導線を形成する第１ステップと、
前記主誘導線を形成する第２ステップと、を有し、
前記第１ステップは、前記補助誘導線の前記主誘導線との接続点を含む所定範囲の部分を、前記補助誘導線の前記主誘導線との接続点を含む所定範囲の部分を、前記主誘導線の形成に際して照射するレーザ光の出力より大きい出力のレーザ光を照射することにより形成するステップを含む、引裂き誘導弱め線の形成方法。
【発明の詳細な説明】
【技術分野】
【０００１】
本発明は、易開封性を有する包装袋、及びその包装袋における引裂き誘導弱め線形成方法に関する。
【背景技術】
【０００２】
従来、特許文献１に記載の易開封性を有する包装袋が知られている。この包装袋は、表裏２枚の樹脂フィルム（第１フィルム及び第２フィルム）を重ね合わせて、周縁部をヒートシールすることにより袋状に形成されている。そして、左右の側縁部にノッチ（引裂き開始部）が形成されるとともに、その樹脂フィルムを線状に弱化させてノッチからの引裂きを誘導するための切れ目線（引裂き誘導弱め線）が表裏２枚の樹脂フィルムのそれぞれに形成されている。上記切れ目線は、ノッチの形成された側縁部の外縁線から延びてその側縁部の外縁線に戻って前記ノッチを囲むように形成された「く」の字状（Ｖ字状）の開封誘導線（補助誘導線）と、開封誘導線のくの字の頂点から逆側の側縁部に直線状に延びるように形成された開封予定線（主誘導線）とを含んでいる。
【０００３】
このような包装袋では、ノッチからの引裂きがそれを囲むように形成された開封誘導線（補助誘導線）に達すると、その引裂きがその開封誘導線に誘導されつつ進み、開封予定線（主誘導線）に至るようになる。そして、開封予定線に至った引裂きが、その開封予定線（主誘導線）に誘導されつつ逆側の側縁部まで進むことにより、当該包装袋が開封される。
【０００４】
このような包装袋によれば、一方の側縁部のノッチからの引裂きが切れ目線である開封誘導線及び開封予定線に誘導されつつ逆側の側縁部まで進むので、容易に開封（易開封）することができる。
【先行技術文献】
【特許文献】
【０００５】
【特許文献１】特開２０１５−１８９４８３号公報
【発明の概要】
【発明が解決しようとする課題】
【０００６】
上述したような包装袋では、一方の側縁部のノッチからの引裂きが、それを囲むように形成された開封誘導線（補助誘導線）を経てそれに接続する開封予定線（主誘導線）に確実に進むことが重要である。
【０００７】
本発明は、このような事情に鑑みてなされたもので、引裂き開始部からの引裂きが補助誘導線を経てそれに接続する主誘導線に確実に進むことが可能な包装袋を提供するものである。
【０００８】
また、本発明は、前記引裂き開始部からの引裂きが補助誘導線を経てそれに接続する主誘導線に確実に進むような、前記補助誘導線及び主誘導線を含む引裂き誘導弱め線の形成方法を提供するものである。
【課題を解決するための手段】
【０００９】
本発明に係る包装袋は、第１フィルム及び第２フィルムが、それらの周縁部を接合させて袋状に形成され、前記第１フィルム及び前記第２フィルムのそれぞれの周縁部が接合されてなる第１接合部に第１引裂き開始部が形成され、前記第１引裂き開始部からの引裂きを誘導する引裂き誘導弱め線が前記第１フィルム及び第２フィルムのそれぞれに形成された包装袋であって、前記引裂き誘導弱め線は、前記第１接合部側から離れる方向に延びる主誘導線と、前記第１接合部の外縁線側から離れる方向に延び、前記主誘導線に接続して前記外縁線側に向かって戻る第１補助誘導線と、を含み、前記第１補助誘導線は、前記主誘導線との接続点を含む所定範囲の部分を、前記主誘導線より深い、及びまたは太い線状溝である第１特別形状部分として有する構成となる。
【００１０】
このような構成によれば、第１引裂き開始部からの引裂きが第１補助誘導線に達すると、その引裂きは、第１補助誘導線によって誘導されて、主誘導線との接続点を含む所定範囲の部分で、主誘導線より深い、及びまたは太い線状溝である第１特別形状部分を進む。そして、その引裂きは、線状溝の形状により主誘導線より引裂き易い部分となり得る前記第１特別形状部分から主誘導線との接続点を介して当該主誘導線に進む。
【００１１】
本発明に係る包装袋において、前記第１補助誘導線の前記主誘導線との接続点を含む前記所定範囲の部分は、前記第１接合部側から離れる方向に凸状となる湾曲線部分を含む構成とすることができる。
【００１２】
このような構成によれば、第１補助誘導線に達した第１引裂き誘導開始部からの引裂きは、第１補助誘導線を進み、主誘導線より引裂き易い部分となり得る第１特別形状部分としての湾曲線部分から主誘導線との接続点を介して当該主誘導線に進む。
【００１３】
本発明に係る包装袋において、前記第１補助誘導線は、前記第１接合部の外縁線から延び、前記主誘導線と接続して前記外縁線に戻って前記第１引裂き開始部を囲む形状を有する構成とすることができる。
【００１４】
このような構成によれば、第１補助誘導線が、第１接合部の外縁線から延びて当該外縁線に戻って第１引裂き開始部を囲むので、第１引裂き開始部からの引裂きは、より確実に第１補助誘導線に至る。その結果、引裂きは、第１補助誘導線を進み、主誘導線より引裂き易い部分となり得る第１特別形状部分から主誘導線との接続点を介して当該主誘導線に進む。
【００１５】
本発明に係る包装袋において、前記第１接合部に対向する第２接合部には第２引裂き開始部が形成され、前記引裂き誘導弱め線は、更に、前記第２接合部の外縁線側から離れる方向に延び、前記主誘導線に接続して前記外縁線に向かって戻る第２補助誘導線を、含み、前記第２補助誘導線は、前記主誘導線との接続点を含む所定範囲の部分を、前記主誘導線より深い、及びまたは太い線状溝である第２特別形状部分として有する、構成とすることができる。
【００１６】
このような構成によれば、第２引裂き開始部からの引裂きが第２補助誘導線に達すると、その引裂きは、第２補助誘導線によって誘導されて、主誘導線との接続点を含む所定範囲の部分で、主誘導線より深い、及びまたは太い線状溝である第２特別形状部分を進む。そして、その引裂きは、線状溝の形状により主誘導線より引裂き易い部分となり得る前記第２特別形状部分から主誘導線との接続点を介して当該主誘導線に進む。
【００１７】
本発明に係る包装袋において、前記第２補助誘導線の前記主誘導線との接続点を含む前記所定範囲の部分は、前記第２接合部から離れる方向に凸状となる湾曲線部分を含む構成とすることができる。
【００１８】
このような構成によれば、第２補助誘導線に達した第２引裂き開始部からの引裂きは、第２補助誘導線を進み、主誘導線より引裂き易い部分となり得る第２特別形状部分としての湾曲線部分から主誘導線との接続点を介して当該主誘導線に進む。
【００１９】
本発明に係る包装袋において、前記第２補助誘導線は、前記第２接合部の外縁線から延び、前記主誘導線と接続して前記外縁線に戻って前記第２引裂き開始部を囲む形状を有する構成とすることができる。
【００２０】
このような構成によれば、第２補助誘導線が、第２接合部の外縁線から延びて当該外縁線に戻って第２引裂き開始部を囲むので、第２引裂き開始部からの引裂きは、より確実に第２補助誘導線に至る。その結果、引裂きは、第２補助誘導線を進み、主誘導線より引裂き易い部分となり得る第２特別形状部分から主誘導線との接続点を介して当該主誘導線に進む。
【００２１】
また、本発明に係る引裂き誘導弱め線の形成方法は、第１フィルム及び第２フィルムが、それらの周縁部を接合させて袋状に形成され、前記第１フィルム及び前記第２フィルムのそれぞれの周縁部が接合されてなる接合部に引裂き開始部が形成され、前記引裂き開始部からの引裂きを誘導する引裂き誘導弱め線が前記第１フィルム及び第２フィルムのそれぞれに形成された包装袋であって、前記引裂き誘導弱め線は、前記接合部側から離れる方向に延びる主誘導線と、前記接合部の外縁線側から離れる方向に延び、前記主誘導線に接続して前記外縁線側に向かって戻る補助誘導線と、を含む包装袋における前記引裂き誘導弱め線の形成方法であって、前記第１フィルム及び前記第２フィルムのそれぞれに形成されるべき前記引裂き誘導弱め線をレーザ照射による加工によって線状溝として形成するステップであって、前記補助誘導線を形成する第１ステップと、前記主誘導線を形成する第２ステップと、を有し、前記第１ステップは、前記補助誘導線の前記主誘導線との接続点を含む所定範囲の部分を、前記主誘導線の形成に際してのレーザ光の照射回数より多い回数のレーザ光を重ねて照射することにより形成するステップを含む、構成となる。
【００２２】
このような構成によれば、補助誘導線を形成する第１ステップにおいて、前記補助誘導線の前記主誘導線との接続点を含む所定範囲の部分を、前記主誘導線の形成に際してのレーザ光の照射回数より多い回数のレーザ光を重ねて照射することにより形成するので、補助誘導線の前記主誘導線との接続点を含む所定範囲の部分は、前記主誘導線より少なくとも深い線状溝となり得る。
【００２３】
また、本発明に係る引裂き誘導弱め線の形成方法は、第１フィルム及び第２フィルムが、それらの周縁部を接合させて袋状に形成され、前記第１フィルム及び前記第２フィルムのそれぞれの周縁部が接合されてなる接合部に引裂き開始部が形成され、前記引裂き開始部からの引裂きを誘導する引裂き誘導弱め線が前記第１フィルム及び第２フィルムのそれぞれに形成された包装袋であって、前記引裂き誘導弱め線は、前記接合部側から離れる方向に延びる主誘導線と、前記接合部の外縁線側から離れる方向に延び、前記主誘導線に接続して前記外縁線側に向かって戻る補助誘導線と、を含む包装袋における前記引裂き誘導弱め線の形成方法であって、前記第１フィルム及び前記第２フィルムのそれぞれに形成されるべき前記引裂き誘導弱め線をレーザ加工によって線状溝として形成するステップであって、前記補助誘導線を形成する第１ステップと、前記主誘導線を形成する第２ステップと、を有し、前記第１ステップは、前記補助誘導線の前記主誘導線との接続点を含む所定範囲の部分を、レーザ光のスポット径以下のピッチでずらしながらレーザ光を複数回照射して形成するステップを含む、構成となる。
【００２４】
このような構成によれば、補助誘導線を形成する第１ステップにおいて、前記補助誘導線の前記主誘導線との接続点を含む所定範囲の部分を、レーザ光のスポット径以下のピッチでずらしながらレーザ光を複数回照射して形成するので、補助誘導線の前記主誘導線との接続点を含む所定範囲の部分は、前記主誘導線より少なくとも太い線状溝となり得る。
【００２５】
更に、また、本発明に係る引裂き誘導弱め線の形成方法は、第１フィルム及び第２フィルムが、それらの周縁部を接合させて袋状に形成され、前記第１フィルム及び前記第２フィルムのそれぞれの周縁部が接合されてなる接合部に引裂き開始部が形成され、前記引裂き開始部からの引裂きを誘導する引裂き誘導弱め線が前記第１フィルム及び第２フィルムのそれぞれに形成された包装袋であって、前記引裂き誘導弱め線は、前記接合部側から離れる方向に延びる主誘導線と、前記接合部の外縁線側から離れる方向に延び、前記主誘導線に接続して前記外縁線側に向かって戻る補助誘導線と、を含む包装袋における前記引裂き誘導弱め線の形成方法であって、前記第１フィルム及び前記第２フィルムのそれぞれに形成されるべき前記引裂き誘導弱め線をレーザ加工によって線状溝として形成するステップであって、前記補助誘導線を形成する第１ステップと、前記主誘導線を形成する第２ステップと、を有し、前記第１ステップは、前記補助誘導線の前記主誘導線との接続点を含む所定範囲の部分を、前記補助誘導線の前記主誘導線との接続点を含む所定範囲の部分を、前記主誘導線の形成に際して照射するレーザ光の出力より大きい出力のレーザ光を照射することにより形成するステップを含む、構成となる。
【００２６】
このような構成によれば、補助誘導線を形成する第１ステップにおいて、前記補助誘導線の前記主誘導線との接続点を含む所定範囲の部分を、前記主誘導線の形成に際して照射するレーザ光の出力より大きい出力のレーザ光を照射することにより形成するので、補助誘導線の前記主誘導線との接続点を含む所定範囲の部分は、前記主誘導線より深い、及びまたは太い線状溝となり得る。
【００２７】
前述した各引裂き誘導弱め線の形成方法において、補助誘導線を形成するステップ１と主誘導線を形成するステップ２とは、いずれが先に実行されてもよい。
【発明の効果】
【００２８】
本発明に係る包装袋によれば、第１引裂き開始部からの引裂きは、第１補助誘導線を進み、主誘導線より引裂き易い部分となり得る第１特別形状部分から主誘導線との接続点を介して当該主誘導線に進むので、第１引裂き開始部からの引裂きが第１補助誘導線を経て主誘導線に確実に進むことができる。
【００２９】
また、本発明に係る各引裂き誘導弱め線の形成方法によれば、レーザ光照射の加工により、補助誘導線の前記主誘導線との接続点を含む所定範囲の部分が、前記主誘導線より深い、及びまたは太い線状溝となり得るので、前記補助誘導線の前記主誘導線との接続点を含む所定範囲の部分は、前記主誘導線より引裂き易い部分となり得る。よって、引裂き開始部からの引裂きが補助誘導線を経て主誘導線に確実に進むことのできる引裂き誘導弱め線を形成することができる。
【図面の簡単な説明】
【００３０】
【図１】図１は、本発明の実施の形態に係る包装袋の要部を示す正面図である。
【図２】図２は、図１に示す包装袋を構成する表側フィルム及び裏側フィルムのそれぞれの層構成の一例と、引裂き誘導弱め線としてのレーザ加工による溝の一例を示す断面図である。
【図３】図３は、図１に示す包装袋に形成される左ノッチ（第１引裂き開始部）及びその近傍に形成される引裂き誘導弱め線（第１補助誘導線、主誘導線）を拡大して示す図である。
【図４】図４は、図３における領域Ａを更に拡大して示す図である。
【図５】図５は、第１補助誘導線における湾曲線部分のレーザ加工による溝の一例を示す断面図である。
【図６】図６は、図１に示す包装袋を開封するに際しての引裂かれ方の一例を示す図である。
【図７】図７は、図６に示す引裂かれ方により引裂き開封された包装袋の開封切り口を示す図である。
【図８Ａ】図８Ａは、第１補助誘導線から主誘導線に進んだ引裂きの切り口の一例を示す図である。
【図８Ｂ】図８Ｂは、第２接合部の外縁線まで主誘導線に誘導された引裂きの切り口の一例を示す図である。
【図９】図９は、第１引裂き誘導弱め線と第２引裂き誘導弱め線とがずれた状態の一例を示す図である。
【図１０】図１０は、開封テストの結果を示す図である。
【発明を実施するための形態】
【００３１】
本発明の実施の形態について図面を用いて説明する。
【００３２】
本発明の実施の形態に係る包装袋は、図１に示すように構成される。
【００３３】
図１において、この包装袋１００は、例えば、プラスチックファスナ付きパウチであって、表側フィルム１００ａ（第１フィルム）と裏側フィルム１００ｂ（第２フィルム）とが、それぞれの周縁部を接合させて袋状に形成されている。表側フィルム１００ａ及び裏側フィルム１００ｂのそれぞれは、例えば、図２に示すように、ポリエチレンテレフタレートでできたＰＥＴ層１０１、ポリアミド合成樹脂であるナイロンでできたＮＹ層１０２、アルミ箔でできたアルミ層１０３及びポリエチレンでできたＰＥ層１０４の４つの層が積層された構造となっている。ＰＥＴ層１０１は、透明性が高く、伸び縮みし難い寸法安定性の良い性質を有し、印刷用の層として好適である。ＮＹ層１０２は、衝撃や折り曲げに強く、穴が開き難い性質を有し、強度確保のための層である。アルミ層１０３は、この層を境として空気（酸素）等のガスや水分の出入りを遮蔽するための金属層である。ＰＥ層１０４は、１００℃〜１３０℃程度で溶融する性質を有し、熱融着に適したシーラント層としての層である。
【００３４】
このようにＰＥ層１０４及びＰＥＴ層１０１が表裏の最も外側に配置されるとともにＮＹ層１０２とアルミ層１０３とが隣接するように積層された構造の表側フィルム１００ａ及び裏側フィルム１００ｂは、それぞれのＰＥ層１０４を対向させた状態で表側フィルム１００ａ及び裏側フィルム１００ｂのそれぞれの周辺部のＰＥ層１０４が熱融着によりシールされ（接合され）、袋状に形成される。これにより、ＰＥ層１０４を内側にして、図１に示すように、周辺のシール部（接合部）１６、１７、１８（シール部１８に対向する下側のシール部は省略）により封止された包装袋１００が形成される。
【００３５】
図１に戻って、包装袋１００には、上側のシール部１８から下方に所定距離だけ離れた位置に、横方向で対向する２つのシール部１６、１７の間で直線的に延びる、プラスチックファスナ１９が設けられている。このプラスチックファスナ１９は、公知の構造であって開閉自在である。プラスチックファスナ１９を境にして、上側のシール部１８と反対側の領域に内容物（例えば、飲食物）の収容部が形成されている。開封後は、プラスチックファスナ１９を開放することにより、収容部から内容物を取り出すことができ、プラスチックファスナ１９を閉鎖することにより、内容物が収容された収容部を密封することができる。
【００３６】
なお、包装袋１００が底部にガゼット部が設けられている場合には、表側フィルム１００ａ及び裏側フィルム１００ｂのそれぞれの上側の周縁部は、プラスチックファスナ１９を開放した状態で収容部に内容物を収容した後に、プラスチックファスナ１９を閉鎖して収容部を密封した状態でシールされ、上側のシール部１８が形成される。また、包装袋１００がガゼット部を有さない平パウチの場合には、表側フィルム１００ａ及び裏側フィルム１００ｂのそれぞれの上側のシール部１８が形成された後、下側の周縁部より内容物を収容し、下側のシール部が形成される。
【００３７】
また、図１において、表側フィルム１００ａに第１引裂き誘導弱め線１０が形成されるとともに、裏側フィルム１００ｂに第２引裂き誘導弱め線２０が形成されている。包装袋１００の左側のシール部１６（第１接合部）には左ノッチ１５ａ（第１引裂き開始部）が形成され、包装袋１００の右側のシール部１７（第２接合部）には右ノッチ１５ｂ（第２引裂き開始部）が、左ノッチ１５ａに対向するように、形成されている。第１引裂き誘導弱め線１０及び第２引裂き誘導弱め線２０のそれぞれは、シール部１６の外縁線から反対側のシール部１７の外縁線まで延びている。
【００３８】
表側フィルム１００ａに形成される第１引裂き誘導弱め線１０は、シール部１６の外縁線からシール部１７の外縁線まで延びる主誘導線１１（１０）、シール部１６の左ノッチ１５ａ及び主誘導線１１の端部を囲むように形成された第１補助誘導線１２ａ（１０）、及びシール部１７の右ノッチ１５ｂ及び主誘導線１１の端部を囲むように形成された第２補助誘導線１２ｂ（１０）を含む。また、裏側フィルム１００ｂに形成される第２引裂き誘導弱め線２０は、シール部１６の外縁端からシール部１７の外縁線まで直線状に延びる主誘導線２１（２０）、シール部１６の左ノッチ１５ａ及び主誘導線２１の端部を囲むように形成された第１補助誘導線２２ａ（２０）、及びシール部１７の右ノッチ１５ｂ及び主誘導線２１の端部を囲むように形成された第２補助誘導線２２ｂ（２０）を含む。
【００３９】
なお、左ノッチ１５ａ及び右ノッチ１５ｂは、表裏の主誘導線１１及び主誘導線２１の端部に重なるように形成されるが、製造条件のバラつき等により、左ノッチ１５ａと主誘導線１１若しくは主誘導線２１、または、右ノッチ１５ｂと主誘導線１１若しくは主誘導線２１が、正確に重ならない場合があり得る。
【００４０】
表側フィルム１００ａに第１引裂き誘導弱め線１０の一部として形成される第１補助誘導線１２ａ（１０）の詳細な形状は図３に示される。図３において、第１補助誘導線１２ａは、表側フィルム１００ａ（シール部１６）の外縁線からその外縁線に直交するように延びる所定長の直線部分１２１と、直線部分１２１からつづいて下方に傾斜するように延びる傾斜線部分１２２と、傾斜線部分１２２からつづいて引裂き方向（シール部１６から離れる方向）に凸の湾曲状（例えば、円弧状）に延びて主誘導線１１と接続する湾曲線部分１２３と、湾曲線部分１２３からつづいて下方に傾斜するように延びる傾斜線部分１２４と、傾斜線部分１２４からつづいて表側フィルム１００ａ（シール部１６）の外縁線にその外縁線に直交するように戻る所定長の直線部分１２５と、によって構成される。
【００４１】
第２補助誘導線１２ｂについても、前述した第１補助誘導線１２ａと同様の形状であって、主誘導線１１との相対的な位置関係も同じである。また、裏側フィルム１００ｂに第２引裂き誘導弱め線２０の一部として形成される第１補助誘導線２２ａ及び第２補助誘導線２２ｂのそれぞれについても、前述した第１補助誘導線１２ａと同様の形状であって、主誘導線２１との位置関係も、前述した表側フィルム１００ａにおける第１補助誘導線１２ａと主誘導線１１との相対的な位置関係と同じである。
【００４２】
図１に戻って、包装袋１００（表側フィルム１００ａ、裏側フィルム１００ｂ）を、左ノッチ１５ａから始まる引裂き方向（幅方向）に、３つの領域、第１領域Ｅ１、第２領域Ｅ２及び第３領域Ｅ３に略等分に分ける場合、第１領域Ｅ１では、表側フィルム１００ａにおける第１補助誘導線１２ａ及び主誘導線１１の直線部分１１１の組と、裏側フィルム１００ｂにおける第１補助誘導線２２ａ及び主誘導線２１の直線部分２１１の組とが、同じ形状であって、相互に重なる第１重なり部分である。第２領域Ｅ２では、表側フィルム１００ａの主誘導線１１は、直線部分１１１から上方に（上側のシール部１８側に）延びる部分を含むことなく、直線部分１１１からなめらかにつづいて、プラスチックファスナ１９側に（包装袋１００の下方に）突出するように湾曲した湾曲部分１１２である。そして、この表側フィルム１００ａにおける主誘導線１１の湾曲部分１１２と、裏側フィルム１００ｂにおける主誘導線２１の直線部分２１２とが、相互に重なっていない分離部分である。また、第３領域Ｅ３では、表側フィルム１００ａにおける主誘導線１１の直線部分１１３及び第２補助誘導線１２ｂの組と、裏側フィルム１００ｂにおける主誘導線２１の直線部分２１３及び第２補助誘導線２２ｂの組とが、同じ形状であって、相互に重なる第２重なり部分である。
【００４３】
第１引裂き誘導弱め線１０及び第２引裂き誘導弱め線２０において、第１領域Ｅ１に対応した第１重なり部分（第１補助誘導線１２ａ、第１補助誘導線２２ａ、直線部分１１１、直線部分２１１）の引裂き方向の長さ（第１領域Ｅ１の幅長）と、第３領域Ｅ３に対応した第２重なり部分（第２補助誘導線１２ｂ、第２補助誘導線２２ｂ、直線部分１１３、直線部分２１３）の引裂き方向の長さ（第３領域Ｅ３の幅長）との和（重なり部分全体の長さ）は、第２領域Ｅ２に対応した分離部分（湾曲部分１１２、直線部分２１２）の引裂き方向の長さ（第２領域Ｅ２の幅長）より、長い（略２倍の長さ）。即ち、第１引裂き誘導弱め線１０及び第２引裂き誘導弱め線２０では、重なり部分（第１重なり部分及び第２重なり部分）の引裂き方向における長さは、分離部分の引裂き方向における長さより長い。
【００４４】
前述した第１引裂き誘導弱め線１０（主誘導線１１、第１補助誘導線１２ａ、第２補助誘導線１２ｂ）及び第２引裂き誘導弱め線２０（主誘導線２１、第１補助誘導線２２ａ、第２補助誘導線２２ｂ）は、レーザ光源からのレーザ光照射（レーザ加工）により、表側フィルム１００ａ及び裏側フィルム１００ｂに形成される。具体的には、レーザ光源からパルス状または連続的に出射されるレーザ光を第１引裂き誘導弱め線１０及び第２引裂き誘導弱め線２０の形状に従って表側フィルム１００ａ及び裏側フィルム１００ｂ（実際にはそれらが切出される原反フィルムの対応する領域）に対して照射する。例えば、第１ステップで、第１補助誘導線１２ａ、２２ａが形成され、第２ステップで、主誘導線１１、２１が形成され、第３ステップで、第２補助誘導線１２ｂ、２２ｂが形成される。これにより、図２に示すように、第１引裂き誘導弱め線１０（第１補助誘導線１２ａ、主誘導線１１、第２補助誘導線１２ｂ）及び第２引裂き誘導弱め線２０（第１補助誘導線２２ａ、主誘導線２１、第２補助誘導線２２ｂ）が、表側フィルム１００ａ及び裏側フィルム１００ｂのＰＥＴ層１０１からＮＹ層１０２に至る深さの線状溝１１０として形成される。
【００４５】
前記第１ステップでは、図３とともに図４に拡大して示すように、第１引裂き誘導弱め線１０の第１補助誘導線１２ａの主誘導線１１との接続点Ｐを含む所定範囲としての湾曲線部分１２３は、前述したレーザ光の照射を含めて複数回（例えば、２回）重ねてレーザ光の照射が行われることにより形成される。これにより、湾曲線部分１２３は、図５に示すように、アルミ層１０３にまで達する、主誘導線１１及び第１補助誘導線１２ａの他の部分（直線部分１２１、１２５、傾斜線部分１２２、１２４）のそれぞれより少なくとも深い線状溝１１０として形成される。また、湾曲線部分１２３を、レーザ光を当該レーザ光のスポット径以下のピッチでずらしながら複数回照射して形成することができる。この場合、湾曲線部分１２３は、主誘導線１１及び第１補助誘導線１２ａの他の部分のそれぞれより少なくとも太い線状溝１１０として形成され得る。また、湾曲線部分１２３を、主誘導線１１及び第１補助誘導線１２ａの他の部分（直線部分１２１、１２５、傾斜線部分１２２、１２４）のそれぞれを形成する際のレーザ光の出力より大きい出力のレーザ光を照射することにより形成することができる。この場合、湾曲線部分１２３は、主誘導線１１及び第１補助誘導線１２ａの他の部分のそれぞれより深い、及びまたは太い線状溝１１０として形成され得る。なお、前述した複数回のレーザ光の照射、及びずらしながらのレーザ光の照射のそれぞれによって、湾曲線部分１２３を、主誘導線１１及び第１補助誘導線１２ａの他の部分のそれぞれより深い、かつ太い線状溝１１０として形成することもできる。
【００４６】
主誘導線１１及び第１補助誘導線１２ａの他の部分（直線部分１２１、１２５、傾斜線部分１２２、１２４）のそれぞれより深い、及びまたは太い線状溝１１０として形成される湾曲線部分１２３は、弱化の程度が主誘導線１１及び前記他の部分のそれぞれより大きい分、引裂き易さの程度は、主誘導線１１及び前記他の部分のそれぞれより大きくなる。即ち、主誘導線１１及び前記他の部分のそれぞれより深い、及びまたは太い線状溝となる湾曲線部分１２３は、引裂き易さの程度がより大きく、主誘導線１１及び他の部分と区別される第１特別形状部分として第１引裂き誘導弱め線１０に含まれる。
【００４７】
第１引裂き誘導弱め線１０において主誘導線１１と接続する第２補助誘導線１２ｂについても、前述した第１補助誘導線１２ａと同様に、第２補助誘導線１２ｂの湾曲線部分１２３は、前述したようなレーザ光の主誘導線１１及び第２補助誘導線１２ｂの他の部分（直線部分１２１、１２５、傾斜線部分１２２、１２４）のそれぞれとは異なる照射態様（複数回照射、ずらし照射、出力増大照射）によって、より深い及びまたはより太い線状溝１１０として形成される。従って、第２補助誘導線１２ｂの湾曲線部分１２３も、主誘導線１１及び前記他の部分のそれぞれより引裂き易さの程度が大きく、その主誘導線１１及び前記他の部分と区別される第２特別形状部分として第１引裂き誘導弱め線１０に含まれる。また、裏側フィルム１００ｂに形成される第２引裂き誘導弱め線２０の主誘導線２１に接続する第１補助誘導線２１ａ及び第２補助誘導線２１ｂのそれぞれについても同様であって、第１補助誘導線２１ａの湾曲線部分１２３が、より深い及びまたはより太い線状溝１１０として形成される第１特別形状部分であり、第２補助誘導線２１ｂの湾曲線部分１２３が、より深い及びまたはより太い線状溝１１０として形成される第２特別形状部分である。
【００４８】
前述した包装袋１００は、基本的に、例えば、図６に示すように開封することができる。
【００４９】
図６において、シール部１６の左ノッチ１５ａから、反対側のシール部１７に向けて、包装袋１００（表側フィルム１００ａ、裏側フィルム１００ｂ）を引裂き始めると、第１領域Ｅ１において、表側フィルム１００ａでの引裂きは、主誘導線１１の直線部分１１１に誘導されつつ進む。前記引裂きが、直線部分１１１（主誘導線１１）から逸脱したとしても、第１補助誘導線１２ａに達すると、その第１補助誘導線１２ａを進んで主誘導線１１の直線部分１１１に至り、その後、その直線部分１１１に誘導されつつ進む。このとき、裏側フィルム１００ｂでの引裂きも、同様に、主誘導線２１の直線部分２１１に誘導されつつ進み、その引裂きがその直線部分２１１（主誘導線２１）から逸脱したとしても、第１補助誘導線２２ａを介して、直線部分２１１に戻り、その直線部分２１１に誘導されつつ進む。
【００５０】
第１領域Ｅ１では、表側フィルム１００ａ及び裏側フィルム１００ｂにおいて、左ノッチ１５ａからの引裂きは、同時的に、主誘導線１１の直線部分１１１及び主誘導線２１の直線部分２１１（第１重なり部分）に誘導されつつ進む。この場合、包装袋１００は、実際の引裂き線（図６におけるＬａ、Ｌｂ参照）が表フィルム１００ａと裏フィルム１００ｂとでずれることなく重なって引裂かれていく。なお、左ノッチ１５ａからの引裂きが主誘導線１１、２１から逸脱して第１補助誘導線１２ａ、２２ａに誘導されつつ進み、主誘導線１１に至る場合についての詳細は後述する。
【００５１】
包装袋１００の引裂きが、第１領域Ｅ１から第２領域Ｅ２に移ると、表側フィルム１００ａの引裂きは、主誘導線１１の直線部分１１１から湾曲部分１１２に移り、湾曲部分１１２に誘導されつつ進む。一方、裏側フィルム１００ｂの引裂きは、主誘導線２１の直線部分２１１から引き続いて直線部分２１２に移り、その直線部分２１２に誘導されつつ進む。この場合、包装袋１００の引裂きでは、表側フィルム１００ａ及び裏側フィルム１００ｂは、重なることのない分離部分（主誘導線１１（１０）の湾曲部分１１２、主誘導線２１（２０）の直線部分２１２）に誘導されつつ、実際の引裂き線（図６におけるＬａ、Ｌｂ参照）がずれた状態で引裂かれていく。
【００５２】
包装袋１００の引裂きが、第２領域Ｅ２から第３領域Ｅ３に移ると、表側フィルム１００ａの引裂きは、主誘導線１１の湾曲部分１１２から直線部分１１３に移り、主誘導線１１の直線部分１１３に誘導されつつ進む。そして、その引裂きが主誘導線１１の直線部分１１３に誘導されつつシール部１７の外縁線に達する。一方、裏側フィルム１００ｂの引裂きも同様に、主誘導線２１の直線部分２１２から引き続き直線部分２１３に移り、その直線部分２１３に誘導されつつ進む。そして、その引裂きが直線部分２１３に誘導されつつ、シール部１７の外縁線に達する。この場合、包装袋１００の引裂きでは、表側フィルム１００ａ及び裏側フィルム１００ｂは、同時的に、前記第２重なり部分（１１３、２１３）に誘導されつつ実際の引裂き線（図６におけるＬａ、Ｌｂ参照）がずれずに重なって引裂かれていき、その引裂きは一気に、シール部１７の外縁線に達する。なお、第３領域Ｅ３では、主誘導線１１、２１に誘導される引裂きは、第２補助誘導線１２ｂ、２２ｂとの接続点Ｐ（図４参照）を通過することになるが、この接続点Ｐを通過する引裂きについては、後述する。
【００５３】
このようにして、シール部１６の左ノッチ１５ａから開始された包装袋１００の引裂きが、反対側のシール部１７の外縁線に達することで、包装袋１００が開封される。包装袋１００が開封されると、図７に示すように、表側フィルム１００ａの開封切り口の縁線Ｌａが、主誘導線１１の直線部分１１１、湾曲部分１１２、直線部分１１３に対応するようになる（第１補助誘導線１２ａが含まれる場合もある）。また、裏側フィルム１００ｂの開封切り口の縁線Ｌｂが、主誘導線２１の直線部分２１１、２１２、２１３に対応するようになる（第１補助誘導線２２ａが含まれる場合もある）。ここで、第１引裂き誘導弱め線１０及び第２引裂き誘導弱め線２０の、第２領域Ｅ２（図６参照）に対応した、主誘導線１１の湾曲部分１１２と主誘導線２１の直線部分２１２とが分離部分として重ならないように形成されているので、それら分離部分（１１２、２１２）に対応した表側フィルム１００ａの開封切り口の縁線Ｌａの部分と、裏側フィルム１００ｂの開封切り口の縁線Ｌｂの部分とは、重ならずに、量Δだけずれた状態になる。そして、それらずれた部分の裏側フィルム１００ｂを摘んで開封された包装袋１００を開き、プラスチックファスナ１９を容易に開放することができる。
【００５４】
包装袋１００（表側フィルム１００ａ、裏側フィルム１００ｂ）が上述したように開封される際に、左ノッチ１５ａからの引裂きが主誘導線１１、２１から逸脱して第１補助誘導線１２ａ、２２ａに誘導されつつ進み、主誘導線１１に至る場合について説明する。
【００５５】
概ね主誘導線１１、２１の延びる方向に加えられる力によって、第１補助誘導線１２ａ、２２ａ（図３参照）に誘導されつつ進む引裂きは、例えば、傾斜線部分１２４から湾曲線部分１２３に進む。概ね主誘導線１１、２１の延びる方向に加えられる力であっても、第１補助誘導線１２ａ、２２ａの湾曲線部分１２３（第１特別形状部分）は、深い及びまたは太い線状溝１１０（図５参照）として形成されているので、その引裂きはその湾曲線部分１２３をよりスムーズに進む。そして、その湾曲線部分１２３に誘導されつつスムーズに進む引裂きは、その概ね主誘導線１１、２１の延びる方向に加えられる力によって、主誘導線１１、２１との接続点Ｐ（図４参照）から、そのまま湾曲線部分１２３を進むことなく、主誘導線１１、１２に移る。以後、引裂きは、主誘導線１１、２１に誘導されつつ反対側のシール部１７に向けて進んでいく。その結果、左ノッチ１５ａから続く表側フィルム１００ａ及び裏側フィルム１００ｂの開封切り口の縁線Ｌａ、Ｌｂは、例えば、図８Ａに示すように、第１補助誘導線１２ａ、２２ｂ（例えば、傾斜線部分１２４、湾曲線部分１２３）及び主誘導線１１、２１に対応するようになる。
【００５６】
前述したように主誘導線１１、２１に誘導されつつ進む引裂きは、第３領域Ｅ３（図６参照）に入り、第２補助誘導線１２ｂ、２２ｂ（湾曲線部分１２３（図４参照））との接続点Ｐに達する。この接続点Ｐを通る第２補助誘導線１２ｂ、２２ｂの湾曲線部分１２３は、引裂き方向とは逆のシール部１７（第２接合部）から離れる方向に凸状となっている。第２補助誘導線１２ｂ、２２ｂの湾曲線部分１２３（第２特別形状部分）が深い及びまたは太い線状溝１１０（図５参照）として形成されているものであっても、湾曲線部分１２３（第２特別形状部分）の前記形状と相まって、概ね主誘導線１１、２１の延びる方向に加えられる力によって、その引裂きは、主誘導線１１、２１から接続点Ｐを介して第２補助誘導線１２ｂ、２２ｂ（湾曲線部分１２３）に移ることなく、そのまま主誘導線１１、２１に誘導されつつ、一気にシール部１７の外縁線に達するようになる。その結果、引裂き開始点の左ノッチ１５ａの反対側においては、表側フィルム１００ａ及び裏側フィルム１００ｂの開封切り口の縁線Ｌａ、Ｌｂは、例えば、図８Ｂに示すように、第２補助誘導線１２ｂ、２２ｂではなく、直線状の主誘導線１１、２１に対応するようになる。
【００５７】
なお、引裂き開始点（ノッチ１５ａ）の反対側において、主誘導線１１、２１に誘導される引裂きが、接続Ｐから第２補助誘導線１２ａ、２２ｂにそれることを防止する観点から、第２補助誘導線１２ｂ、２２ｂの、より深い、及びまたはより太い線状溝１１０である湾曲線部分１２３（第２特別形状部分）は、主誘導線１１、２１に直角に接続することが好ましい。
【００５８】
上述した包装袋１００によれば、概ね主誘導線１１、２１の延びる方向の力による左ノッチ１５ａ（第１引裂き開始部）からの引裂きは、第１補助誘導線１２ａ、２２ｂを進み、主誘導線１１、２１及び他の部分のそれぞれより引裂き易い湾曲線部分１２３（第１特別形状部分）から主誘導線１１、２１との接続点Ｐを介してその主誘導線１１、２１に進むようになるので、左ノッチ１５ａ（第１引裂き開始部）からの引裂きが第１補助誘導線１２ａ、２２ａを経て主誘導線１１、２１に確実に進むことができる（図８Ａ参照）。
【００５９】
また、上述した包装袋１００では、引裂き開始点の左ノッチ１５ａと反対側において、主誘導線１１、２１に誘導されつつ進む引裂きが、第２補助誘導線１２ｂ、２２ｂとの接続点Ｐからその第２補助誘導線１２ｂ、２２ｂに移ることなく、そのまま主誘導線１１、２１に誘導されてシール部１７の外縁線まで一気に達する。このため、引裂き終端部での開封切り口は、乱れることなく直線的なきれいな状態になり得る（図８Ｂ参照）。
【００６０】
なお、上述した左ノッチ１５ａと反対側の右ノッチ１５ｂから開始される引裂きの場合も、第２補助誘導線１２ｂ、２２ｂに達すれば、前述したのと同様に、第２補助誘導線１２ｂ、２２ｂに誘導されつつ、主誘導線１１、２１との接続点Ｐを介して、その主誘導線１１、２１に移って進む。また、右ノッチ１５ｂと反対側においても、前述したのと同様に、主誘導線１１、１２に誘導されつつ進む引裂きは、第１補助誘導線１２ａ、２２ｂ（湾曲線部分１２３）との接続点Ｐからそのまま主誘導線１１、２１に誘導されつつシール部１６の外縁線まで一気に達する。よって、この場合も、右ノッチ１５ｂ（第２引裂き開始部）からの引裂きが第２補助誘導線１２ａ、２２ａを経て主誘導線１１、２１に確実に進むことができるとともに、引裂き終端部での開封切り口は、乱れることなく直線的なきれいな状態になり得る。このように、第１補助誘導線１２ａ、２２ａと第２補助誘導線１２ｂ、２２ｂを設け、各々の主誘導線１１、２１との接続点Ｐを含む所定範囲の部分（湾曲線部分１２３）を、主誘導線１１、２１より引裂き易くすることで、使用者が左右どちらから開封した場合にも、主誘導線１１、２１に沿って開封することができ、引裂き終端部での開封切り口は、乱れることなく直線的なきれいな状態になり得る。
【００６１】
ところで、包装袋１００の製造工程において発生し得るフィルムの切断のズレ、フィルムの張り合わせのズレ、搬送されるフィルム自体のズレ等に起因して、表側フィルム１００ａに形成される第１引裂き誘導弱め線１０と裏側フィルム１００ｂに形成される第２引裂き誘導弱め線２０とが僅かにずれる場合がある。具体的には、本来重なっているべき第１領域Ｅ１（図６参照）における表側フィルム１００ａの第１補助誘導線１２ａ及び主誘導線１１の直線部分１１１と、裏側フィルム１００ｂの第１補助誘導線２２ａ及び主誘導線２１の直線部分２１１とが僅かにずれる。また、第３領域Ｅ３においても同様に、表側フィルム１００ａの第２補助誘導線１２ｂ及び主誘導線１１の直線部分１１３と、裏側フィルム１００ｂの第２補助誘導線２２ｂ及び主誘導線２１の直線部分２１３とが僅かにずれる。
【００６２】
第１補助誘導線１２ａ、２２ａ（第２補助誘導線１２ｂ、２２ｂ）の湾曲線部分１２３を、主誘導線１１、２１及びその第１補助誘導線１２ａ、２２ａ（第２補助誘導線１２ｂ、２２ｂ）の他の部分のそれぞれより深い、及びまたは太い線状溝１１０として形成することが、前述したように第１引裂き誘導弱め線１０と第２引裂き誘導線とのずれに対して有効であるか否かを確認するために、以下のような開封テストを行った。具体的には、図９に示すように、外縁線上での間隔が６ｍｍとなる第１補助誘導線１２ａ、２２ａを含む第１引裂き誘導弱め線１０と第２引裂き誘導線２０とが第１重なり部分において４ｍｍずれた（主誘導線１１、２１の間隔＝４ｍｍ）包装袋１００について開封テストを行った。
【００６３】
前述したように第１補助誘導線１２ａ、２２ａ及び第２補助誘導線１２ｂ、２２ｂの各湾曲線部分１２３が深い及びまたは太い線状溝として形成されていない包装袋の場合、開封成功率は４／１０であった。これは、本来は、ノッチ１５ａ先端から引裂きを開始し、その引裂きが第１補助誘導線１２ａ、２２ａに至った後、その第１補助誘導線１２ａ、２２ａに沿って、主誘導線１１、２１へ導かれるべきところ、第１補助誘導線１２ａ、２２ａは、主誘導線１１、２１とある程度の角度を持って接続されているため、誘導線１１、２１へ到達する前に、第１補助誘導線１２ａ、２２ａから外れる場合があったためであると思われる。
【００６４】
一方、前述したように第１補助誘導線１２ａ、２２ａ及び第２補助誘導線１２ｂ、２２ｂの各湾曲線部分１２３が他の部分及び主誘導線１１、２１のそれぞれより深い及びまたは太い線状溝として形成されている包装袋１００について次のような結果が得られた。
【００６５】
（１）開封テスト条件
・左ノッチ１５ａから奥側への引裂き及び手前側への引裂き
・右ノッチ１５ｂから奥側への引裂き及び手前側への引裂き
それぞれ表側フィルム１００ａを上方に向け、また裏側フィルム１００ｂを上方に向けて行った。
各引裂きを実施者Ａが２袋について、実施者Ｂが４袋について、実施者Ｃが４袋についてそれぞれ行った。
（２）開封テスト結果
結果は、図１０の示すように、全ての開封テストで開封不良はなく、良好な開封状態を得ることができた。
【００６６】
以上の開封テストの結果から、第１補助誘導線１２ａ、２２ａの主誘導線１１、２１と接続する湾曲線部分１２３及び第２補助誘導線１２ｂ、２２ｂの主誘導線１１、２１と接続する湾曲線部分１２３のそれぞれを他の部分及び主誘導線１１、２１のそれぞれより引裂き易さの程度を大きくする加工（レーザ光の複数回の照射）により、深い及びまたは太い線状溝として形成することは、表側フィルム１００ａの引裂き誘導弱め線１０（第１補助誘導線１２ａ、主誘導線１１、第２補助誘導線２２ａ）と、裏側フィルム１００ｂの引裂き誘導弱め線２０（第１補助誘導線２２ａ、主誘導線１１、第２補助誘導線２２ｂ）とが僅かにずれていても、良好に開封され得るという観点からも、有効であることが分かった。
【００６７】
例えば、ノッチ１５ａ先端から引裂きを開始し、その引裂きが第１補助誘導線１２ａ、２２ａに至った後、その第１補助誘導線１２ａ、２２ａに沿って、主誘導線１１、２１へ導かれることが望ましい。しかし、第１補助誘導線１２ａ、２２ａは、主誘導線１１、２１とある程度の角度を持って接続されるため、引裂きが主誘導線１１、２１に到達する前に第１補助誘導線１２ａ、２２ａから外れる場合があった。特に、生産のバラつきにより、表裏で第１補助誘導線１２ａ、２２ｂを含む引き裂き誘導弱め線１０、２０が図９に示すようにずれて形成された場合には、表裏で異なる方向への誘導が必要となるところ、フィルムの配向や表裏の引き裂き誘導弱め線１０、２０の僅かな太さの違いにより、優位な方に引っ張られてしまい、片面が引き裂き誘導弱め線１０、２０から逸脱するという問題があった。そこで、前記開封テストで確認されたように、第１補助誘導線１２ａ、２２ａの主誘導線１１、２１との接続点を含む部分を深く、及びまたは太くすることで、この問題を解決することができた。
【００６８】
なお、第１補助誘導線１２ａ、２２ａ及び第２補助誘導線１２ｂ、２２ｂの形状は、前述した形状（図３、図４参照）に限定されず、シール部１６、１７（第１接合部、第２接合部）の外縁線側から離れる方向に延びてから主誘導線１１、２１に接続（交差を含む）してその外縁線側に向かって戻る形状であればよい。また、第１補助誘導線１２ａ、２２ａ及び第２補助誘導線１２ｂ、２２ｂと主誘導線１１、２１との関係も、主誘導線１１、２１が第１補助誘導線１２ａ、２２ａ及び第２補助誘導線１２ｂ、２２ｂと接続されるものであれば、図１のように主誘導線１１、１２の端部が第１補助誘導線１２ａ、２２ａ及び第２補助誘導線１２ｂ、２２ｂを通過するもの（交差状態）であっても、主誘導線１１、１２の端部が第１補助誘導線１２ａ、２２ａ及び第２補助誘導線１２ｂ、２２ｂ上にあるものであってもよい。更に、引裂き誘導弱め線１０、２０は、第１補助誘導線１２ａ、２２ａ及び第２補助誘導線１２ｂ、２２ｂのいずれか一方を含むものであればよい。
【００６９】
また、深い及びまたは太い線状溝を形成する方法は、前述したようにレーザ光を複数回照射することに限定されない。例えば、カッター等により機械的に、第１補助誘導線１２ａ、２２ｂ、及び第２補助誘導線１２ｂ、２２ｂのそれぞれの主誘導線１１、２１との接続点（交差点を含む）を含む所定範囲（例えば、湾曲線部分１２３）を他の部分より深い及びまたは太い線状溝とするよう加工してもよい。更に、深い及びまたは太い線状溝を形成する加工は、第１補助誘導線１２ａ、２２ａ、及び第２補助誘導線１２ｂ、２２ｂの全体に施すようにしてもよい。この場合、第１補助誘導線１２ａ、２２ａ、及び第２補助誘導線１２ｂ、２２ｂのそれぞれは、主誘導線１１、２１より深い、及びまたは太い線状溝として形成され、主誘導線１１、２１より引裂き易くなり得る。
【００７０】
更に、前述した包装袋１００は、引裂き誘導弱め線１０、２０の全てをより深く、及びまたはより太くするための加工を施していない。全体を太く等すると、引裂き誘導弱め線１０、２０の強度が低下するため、搬送中、充填中等に引裂き誘導弱め線１０、２０が裂ける危険が高い。また、それら引裂き誘導弱め線１０、２０が目立つため、包装袋のデザイン性を阻害する。生産効率、経済性の観点からも、前述したように引裂き誘導弱め線１０、２０において第１補助誘導線１２ａ、２２ａ、第２補助誘導線１２ｂ、２２ｂの一部または全部に限る等、引裂き易さの程度を大きくするような加工が施される部分は、少ない方がよく、レーザ出力も低いほうがよい。
【００７１】
また、更に、包装袋１００に印刷を施す場合、レーザ加工により印刷が削られる。特に、引き裂き開始部（ノッチ１５ａ、１５ｂ）においては、開封位置を示すような機能に関わる印刷が多いため、レーザ加工により印刷が削られることは極力避けたい。このようなことを考慮すると、間隔を離して複数本のレーザ加工を施すのではなく、前述したように、第１補助誘導線１２ａ、２２ａ、第２補助誘導線１２ｂ、２２ｂのそれぞれの一線または僅かにずれた位置に特別なレーザ加工を行うことが好ましい。
【００７２】
なお、本発明は、前述した実施の形態及びその変形例に限定されるものではない。本発明の趣旨に基づいて種々変形することが可能であり、これらを本発明の範囲から除外するものではない。
【産業上の利用可能性】
【００７３】
本発明に係る包装袋は、引裂き開始部からの引裂きが補助誘導線を経てそれに接続する主誘導線に確実に進むことが可能になるという効果を有し、易開封性を有する包装袋として有用である。
【符号の説明】
【００７４】
１０  第１引裂き誘導弱め線
１１  主誘導線
１１１  直線部分
１１２  湾曲部分
１１３  直線部分
１２ａ  第１補助誘導線
１２ｂ  第２補助誘導線
１２１、１２５  直線部分
１２２、１２４  傾斜部分
１２５  湾曲線部分
１５ａ  左ノッチ
１５ｂ  右ノッチ
１６、１７、１８  シール部
１９  プラスチックファスナ
２０  第２引裂き誘導弱め線
２１  主誘導線
２１１、２１２、２１３  直線部分
２２ａ  第１補助誘導線
２２ｂ  第２補助誘導線
１００  包装袋
１００ａ  表側フィルム
１００ｂ  裏側フィルム
【図１】
2020132172.tif 000003
【図２】
2020132172.tif 000004
【図３】
2020132172.tif 000005
【図４】
2020132172.tif 000006
【図５】
2020132172.tif 000007
【図６】
2020132172.tif 000008
【図７】
2020132172.tif 000009
【図８Ａ】
2020132172.tif 000010
【図８Ｂ】
2020132172.tif 000011
【図９】
2020132172.tif 000012
【図１０】
2020132172.tif 000013